(57)【要約】【課題】扉の使用時に防火シートに対して張力の伝達を防止することにより容易な力で開閉動作を可能とし、かつ防火および防煙効果の低減を防止する防火シャッタースクリーンを提供することである。【解決手段】防火シャッタースクリーン１００は、防火シート３００の一部の切り欠きに蛇腹シート２１０を介して扉シート２００が接合される。扉シート２００を捲りあげた場合でも、蛇腹シート２１０により防火シート３００への張力伝達を防止できる。【選択図】図３
2009215713.tif 000002
【特許請求の範囲】
【請求項１】
防火または遮煙のために使用される防火シャッタースクリーンであって、
前記防火または遮煙のために主に使用されるシート部材と、
前記シート部材の一部を切り欠き、当該切り欠き部を覆うことが可能な面積を有する扉シート部材と、
前記扉シート部材および前記シート部材を接合可能な蛇腹機構と、を含むことを特徴とする防火シャッタースクリーン。
【請求項２】
前記蛇腹機構は、
前記シート部材および前記扉シート部材の間に前記シート部材および前記扉シート部材の少なくとも一方の部材を縫製することにより形成されたことを特徴とする請求項１記載の防火シャッタースクリーン。
【請求項３】
前記扉シート部材は、
非常用出口用の扉部材として形成されたことを特徴とする請求項１または請求項２記載の防火シャッタースクリーン。
【発明の詳細な説明】
【技術分野】
【０００１】
本発明は、防火または遮煙に使用する防火シャッタースクリーンに関する。
【背景技術】
【０００２】
近年、鋼製シャッターにかえて、防火シャッター全体を軽量化することができ、さらに広い間口のとれるクロス製の防火シャッターが使用されている。この防火シャッタースクリーンは、火災等の発生時にクロス製のスクリーンが巻き取り軸より降下し、防火区画を形成する。また、形成された防火区画外に逃げ遅れた人を避難させるため、当該スクリーンに避難口を具備したものが使用される場合がある。
【０００３】
従来の避難口を具備した防火シャッタースクリーンは、前もって避難口表示をクロスに印刷し、スクリーン縫製時にその部分を縫製または磁性体で取り付けたもの、または縫製後のスクリーンに直接避難口表示を印刷したものがある。
【０００４】
例えば、特許文献１には、耐火シートにシワ、巻きムラ、破損が無く、耐火シートに避難扉が無くても逃げ後れた人が避難でき、遮煙、耐火性能も良好でしかも設置し易く、且つ見栄えも良い防火防煙シャッターについて開示されている。
【０００５】
特許文献１記載の防火防煙シャッターにおいては、建築構造物等の内部空間にこれを遮蔽する扉を開閉可能に設置し、扉はその上部に耐火シートを収納し必要に応じて耐火シートを扉のガイド側枠に沿い送出入する収納装置を有してなり、火災等の必要時に収納装置から耐火シートを送出し着床させて内部空間を仕切り遮蔽し、不必要時に耐火シートを収納装置に収納し扉を通過自在としたことで、耐火シートに重なり部分が無くなり、収納装置に耐火シートを送入しても均一に且つトータル体積を小さくでき、必要時に耐火シートを送出して内部空間を遮蔽し且つ扉を開閉して人が避難し、不必要時に耐火シートを収納し開口している扉を人が通過できるようにしたものである。
【０００６】
また、特許文献２にも防火防煙シャッターに関する発明が記載されている。特許文献２の図８記載の防火防煙シャッターは、スクリーン本体にスリット形状の避難口を設けてなるものである。この避難口は、上部に向かうほど開口幅が狭くなる形状となっている。
【０００７】
【特許文献１】特開２００１−２７６２４７号公報
【特許文献２】特開２００２−２９１９１５号公報
【発明の開示】
【発明が解決しようとする課題】
【０００８】
しかしながら、従来の防火シャッタースクリーンまたは特許文献１記載の防火防煙シャッターにおいては、必要時に扉を開いた場合、扉のヒンジ部に加わる張力が耐火シートに伝達されてしまうため、扉を開く際に大きな力が必要となる。また、耐火シートに張力が伝達されるので、耐火シートが捲くれ上がり防火または防煙の効果が一時的に減少する。
【０００９】
また、特許文献２の図８記載の防火防煙シャッターにおいては、スクリーン本体に設けられた避難口が、その上部に向かうほど開口幅が狭くなる形状となっているため、人が円滑かつ迅速にこの避難口を通過するに十分な開口面積を確保しようとする場合、人が通過するためには不要であるが、開口してしまう部分が避難口の上部にできてしまい、煙がこの空間を通じて隣の区画へ流入してしまう虞がある。すなわち、この避難口では、人が通過する際に必要以上の開口を形成してしまい、その結果、防煙効果が低減してしまうことになる。なお、これを避けるために、避難口の上部開口を狭くしようとすると、人が通過する部分までも狭くなってしまい、円滑かつ迅速な避難を阻害してしまうことになる。
【００１０】
本発明は、上記実情に鑑みてなされたものであって、その目的は、扉の使用時に防火シートに対して張力の伝達を防止することにより容易な力で開閉動作を可能とし、かつ防火および防煙効果の低減を防止する防火シャッタースクリーンを提供することである。
【課題を解決するための手段】
【００１１】
（１）
本発明に係る防火シャッタースクリーンは、防火または遮煙のために使用される防火シャッタースクリーンであって、防火または遮煙のために主に使用されるシート部材と、シート部材の一部を切り欠き、当該切り欠き部を覆う面積を有する扉シート部材と、扉シート部材およびシート部材を接合可能な蛇腹機構とを含むものである。
【００１２】
本発明に係る防火シャッタースクリーンでは、シート部材の一部の切り欠きに蛇腹機構を介して扉シート部材が接合される。
【００１３】
この場合、扉シート部材が、蛇腹機構を介してシート部材に取り付けられるので、扉シート部材を捲りあげた場合でも、蛇腹機構によりシート部材への張力伝達を防止することができる。その結果、扉シート部材の開閉を容易に行うことができる。また、シート部材に張力が伝達されないので、シート部材の捲くれあがりを防止でき、防火および防煙効果の一時的な低下を防止することができる。
【００１４】
（２）
蛇腹機構は、シート部材および扉シート部材の間にシート部材および扉シート部材の少なくとも一方の部材を縫製することにより形成されてもよい。
【００１５】
この場合、蛇腹機構は、シート部材と扉シート部材との間にシート部材と扉シート部材との少なくとも一方の部材を縫製することにより形成されるので、重量増加を最大限抑止でき、扉シート部材の捲り上げが容易となる。また、縫製の種類は、多様なものであってもよく、例えば、拝み合わせ形状に縫製する等してもよい。
【００１６】
（３）
扉シート部材は、非常用出口の扉部材として形成されてもよい。
【００１７】
この場合、扉シート部材を捲りあげた場合でも、蛇腹機構によりシート部材への張力伝達を防止することができる。その結果、緊急時に、非常用出口である扉シート部材の開閉を容易に行うことができ、安全かつ確実に避難を行うことができる。
【発明を実施するための最良の形態】
【００１８】
以下、本発明に係る実施の形態について説明する。
【００１９】
（第１の実施の形態）
図１は、本発明に係る第１の実施の形態に係る防火シャッタースクリーンの一例を示す模式図である。
【００２０】
図１に示すように、防火シャッタースクリーン１００は、扉シート２００、蛇腹シート２１０（図示せず）および主となる防火シート３００を含む。ここで、扉シート２００は、非常用出口のための扉シートである。扉シート２００は、防火シート３００の切り込みを覆うように防火シート３００に縫製される。図１に示すように、扉シート２００の鉛直方向の左端部が防火シート３００と直接的に縫製され、扉シート２００の水平方向の上端部に対して蛇腹シート２１０を介して防火シート３００に間接的に縫製が行われる（図２および図３参照）。この縫製の詳細については後述する。尚、マーク１１や文字１２は、扉シート２００に対して印刷により付された表示である（他の実施の形態においても同様）。
【００２１】
本実施の形態においては、扉シート２００、蛇腹シート２１０および防火シート３００は、耐熱ガラス繊維クロスからなる。この耐熱ガラス繊維クロスは、防火性に優れ、火災時の強度保持が大きく、破損し難い、二酸化ケイ素９４％以上、酸化アルミニウム３％以上のシリカ繊維クロスである。なお、本実施の形態においては、耐熱ガラス繊維クロスを用いることとしたが、これに限定されず、他の任意の防火および遮煙シートを用いてもよい。また、上記耐熱ガラス繊維クロスの少なくとも片面に、難燃剤を配合したポリウレタン樹脂、アクリル樹脂などのエマルジョンを塗布したシートを用いてもよい（他の実施の形態においても同様）。配合する難燃剤としては、有機、無機を問わず使用でき、例えば、アンチモン系、ハロゲン系、シリカ系、リン系、窒素系の難燃剤が挙げられる。また、シートへの樹脂の塗布量は、通気量とスムーズな昇降性との兼ね合いから、シート片面当たり、５０ｇ／ｍ２以上、２００ｇ／ｍ２以下程度が好ましい。
【００２２】
次に、図２および図３は、図１の防火シャッタースクリーン１００の開閉状態の一例を示す模式図である。図２は防火シャッタースクリーン１００の開閉状態の上面図を示し、図３は防火シャッタースクリーン１００の開閉状態の斜視図である。
【００２３】
図２および図３に示すように、防火シャッタースクリーン１００は、扉シート２００の水平方向の上端部に蛇腹シート２１０が縫製されている。すなわち、蛇腹シート２１０と防火シート３００との間の水平方向に縫製部Ａを設け、扉シート２００と蛇腹シート２１０との間の水平方向に縫製部Ａを設ける。また、扉シート２００と防火シート３００との間の鉛直方向に縫製部Ｎを設ける。それにより、扉シート２００を開閉する際に、防火シート３００への張力が蛇腹シート２１０により吸収され、僅かな力で扉シート２００の開閉動作を行うことができる。
【００２４】
次いで、図４は、図３の縫製部Ａの一例を示す模式図であり、図５は、図４の縫製部Ａの他の例を示す模式図である。
【００２５】
図４に示すように、防火シート３００と扉シート２００とは、蛇腹シート２１０を介して拝み合わせ形状に縫製することにより接合される。それにより、扉シート２００の張力が、蛇腹シート２１０により吸収され、防火シート３００に伝達されない。
【００２６】
また、図５に示すように、防火シート３００と扉シート２００とは、蛇腹シート２１０ａを介していわゆる拝み合わせ形状に縫製することにより接合されてもよい。この場合、蛇腹シート２１０ａの長さを扉シート２００の開閉角度を吸収可能な長さに応じて調整することで、扉シート２００の張力が、蛇腹シート２１０ａにより吸収され、防火シート３００に伝達されない。
【００２７】
以上の構成により、扉シート２００が、蛇腹シート２１０，２１０ａを介して防火シート３００に取り付けられるので、扉シート２００を捲りあげた場合でも、蛇腹シート２１０，２１０ａにより防火シート３００への張力伝達を防止することができる。その結果、扉シート２００の開閉を容易に行うことができる。また、防火シート３００に張力が伝達されないので、防火シート３００の捲くれあがりを防止でき、防火および防煙効果の一時的な低下を防止できる。
【００２８】
（第２の実施の形態）
次に、図６は、本発明に係る第２の実施の形態に係る防火シャッタースクリーンの一例を示す模式図である。
【００２９】
第２の実施の形態に係る防火シャッタースクリーン１００ａは、第１の実施の形態に係る防火シャッタースクリーン１００に、小扉シート４００を含むものである。この小扉シート４００は、扉シート２００による出入口をさらに拡大するものであり、小扉シート４００下端部には、子扉用金具（図示せず）が配設されており、扉シート２００の開閉動作に従動開閉するように構成されている。
【００３０】
本実施の形態においては、扉シート２００、蛇腹シート２１０、防火シート３００および小扉シート４００は、耐熱ガラス繊維クロスからなる。この耐熱ガラス繊維クロスは、防火性に優れ、火災時の強度保持が大きく、破損し難い、二酸化ケイ素９４％以上、酸化アルミニウム３％以上のシリカ繊維クロスである。なお、本実施の形態においては、耐熱ガラス繊維クロスを用いることとしたが、これに限定されず、他の任意の防火および遮煙シートを用いてもよい。
【００３１】
次に、図７および図８は、図６の防火シャッタースクリーン１００ａの開閉状態の一例を示す模式図である。図７は防火シャッタースクリーン１００ａの開閉状態の上面図を示し、図８は防火シャッタースクリーン１００ａの開閉状態の斜視図である。
【００３２】
図７および図８に示すように、防火シャッタースクリーン１００ａは、扉シート２００の開口端を挟むように小扉シート４００が配設されている。
【００３３】
防火シャッタースクリーン１００ａは、扉シート２００の水平方向の上端部に蛇腹シート２１０が縫製されており、小扉シート４００の水平方向の上端部に蛇腹シート４１０が縫製されている。すなわち、蛇腹シート２１０と防火シート３００との間の水平方向に縫製部Ａを設け、扉シート２００と蛇腹シート２１０との間の水平方向に縫製部Ａを設ける。また、扉シート２００と防火シート３００との間の鉛直方向に縫製部Ｎを設ける。同様に、蛇腹シート４１０と防火シート３００との間の水平方向に縫製部Ｂを設け、小扉シート４００と蛇腹シート４１０との間の水平方向に縫製部Ｂを設ける。また、小扉シート４００と防火シート３００との間の鉛直方向に縫製部Ｍを設ける。それにより、扉シート２００を開閉する際に、小扉シート４００も同時に開閉されることとなるが、防火シート３００への張力が蛇腹シート２１０および蛇腹シート４１０により吸収され、僅かな力で扉シート２００および小扉シート４００の開閉動作を行うことができる。
【００３４】
次いで、図９は、図８の縫製部Ｂの一例を示す模式図である。
【００３５】
図９に示すように、防火シート３００と小扉シート４００とは、蛇腹シート４１０を介して拝み合わせ形状に縫製することにより接合される。それにより、小扉シート４００の張力が、蛇腹シート４１０により吸収され、防火シート３００に伝達されない。
【００３６】
以上の構成により、小扉シート４００が、蛇腹シート４１０を介して防火シート３００に取り付けられるので、扉シート２００を捲りあげることにより小扉シート４００が捲り上げられる場合でも、蛇腹シート２１０および蛇腹シート４１０により防火シート３００への張力伝達を防止することができる。その結果、扉シート２００の開閉を容易に行うことができ、開口部を大きくすることもできる。また、防火シート３００に張力が伝達されないので、防火シート３００の捲くれあがりを防止でき、防火および防煙効果の一時的な低下を防止できる。
【００３７】
（第３の実施の形態）
次に、図１０は、本発明に係る第３の実施の形態に係る防火シャッタースクリーンの一例を示す模式図である。
【００３８】
第３の実施の形態に係る防火シャッタースクリーン１００ｂは、第１の実施の形態に係る防火シャッタースクリーン１００の蛇腹シート２１０，２１０ａの代わりに蛇腹シート２１０ｂを用いる。
【００３９】
図１０に示すように、蛇腹シート２１０ｂは、複数の山谷折部を有するものであり、扉シート２００の開口面積を大きくすることができる。すなわち、扉シート２００の開閉角度を大きくすることができるので、非常時においても確実に大量人数分の避難経路を確保することができる。
【００４０】
上記第１から第３の実施の形態においては、防火シャッタースクリーン１００，１００ａ，１００ｂが防火シャッタースクリーンに相当し、防火シート３００がシート部材に相当し、扉シート２００，小扉シート４００が扉シート部材に相当し、蛇腹シート２１０，２１０ａ，２１０ｂ，４１０が蛇腹機構に相当する。
【００４１】
（扉シートの垂れ下がり防止対策）
扉シート自体の剛性が低い場合、扉シートの自重により扉シートが垂れ下がってしまうことが考えられる。このような場合には、図１１に示したような機構を設けて扉シートの垂れ下がり防止対策を行ってもよい。図１１（ａ）は、板バネ状部材３０２を防火シャッタースクリーン１００に取り付けた状態を示す全体模式図であり、図１１（ｂ）は、図１１（ａ）のＸ−Ｘ断面の拡大模式図である。
【００４２】
図１１（ａ）に示すように、防火シャッタースクリーン１００には、扉シート２００の水平方向の上端部および防火シート３００に、スリットを入れた（ほぼ二つ割りされた）弾性を有する板バネ状部材３０２が取り付けられている。図１１（ｂ）に板バネ状部材３０２の防火シート３００への取り付け状態を例示するように、本例では、板バネ状部材３０２を挿入して取り付けることができるよう、防火シート３００にシート３０１を縫製により取り付け、防火シート３００とシート３０１との間に板バネ状部材３０２を挿入している。図１１（ａ）に示したような幅が小さく長尺の板バネ状部材３０２を用いれば、シート巻取時の影響もなく、かつ扉シート２００も確実に閉まる。尚、図１１に示した扉シートの垂れ下がり防止対策は一例であり、このような形態に限られるものではない。
【００４３】
本発明は、上記の好ましい第１から第３の実施の形態に記載されているが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【００４４】
例えば、図１２に、防火シャッタースクリーン１００ｂの変形例を防火シャッタースクリーン１００ｂ’として示すように、扉シート２００の長手方向中間部に蛇腹シート２１１を設けるとともに小扉シート２０１を設けてもよい。この小扉シート２０１を人がかがんだ程度の高さとしておけば、煙から逃れるためにかがんで避難する際の開口部のみを大きくとることができる。
【図面の簡単な説明】
【００４５】
【図１】本発明に係る第１の実施の形態に係る防火シャッタースクリーンの一例を示す模式図
【図２】図１の防火シャッタースクリーンの開閉状態の一例を示す模式図
【図３】図１の防火シャッタースクリーンの開閉状態の一例を示す模式図
【図４】図３の縫製部Ａの一例を示す模式図
【図５】図４の縫製部Ａの他の例を示す模式図
【図６】本発明に係る第２の実施の形態に係る防火シャッタースクリーンの一例を示す模式図
【図７】図６の防火シャッタースクリーンの開閉状態の一例を示す模式図
【図８】図６の防火シャッタースクリーンの開閉状態の一例を示す模式図
【図９】図８の縫製部Ｂの一例を示す模式図
【図１０】本発明に係る第３の実施の形態に係る防火シャッタースクリーンの一例を示す模式図
【図１１】扉シートの垂れ下がり防止対策について説明するための模式図
【図１２】図１０に示した防火シャッタースクリーンの変形例を示す模式図
【符号の説明】
【００４６】
１００，１００ａ，１００ｂ  防火シャッタースクリーン
２００  扉シート
２１０，２１０ａ，２１０ｂ  蛇腹シート
３００  防火シート
４００  小扉シート
４１０  蛇腹シート
【図１】
2009215713.tif 000003
【図２】
2009215713.tif 000004
【図３】
2009215713.tif 000005
【図４】
2009215713.tif 000006
【図５】
2009215713.tif 000007
【図６】
2009215713.tif 000008
【図７】
2009215713.tif 000009
【図８】
2009215713.tif 000010
【図９】
2009215713.tif 000011
【図１０】
2009215713.tif 000012
【図１１】
2009215713.tif 000013
【図１２】
2009215713.tif 000014